(57)【特許請求の範囲】
【請求項１】
所定の日時に夏時間や冬時間等に内部時計の時間調整を行うサマータイム機能を備えたファクシミリ装置において、
ユーザがサマータイム切替え日時の設定を曜日指定で行うサマータイム日時設定手段と、
該サマータイム日時設定手段で設定された切替え日時に基づいてサマータイムの開始日時と終了日時を記憶するサマータイム日時記憶手段と、
該サマータイム日時記憶手段に記憶されているサマータイム開始日時、終了日時を基にサマータイムの日時を変更するサマータイム日時変更手段と、
ユーザにより前記内部時計の時刻調整が行われる際に、当該時刻調整まえにサマータイムをするか否かの選択を行わせる時刻調整手段とを有することを特徴とするファクシミリ装置。
【請求項２】
サマータイム実施日時を指定する際に、日時指定か曜日指定かの選択をユーザに求め、選択された方式でサマータイム切替え日時を管理するサマータイム管理日時選択手段を設けたことを特徴とする請求項１のファクシミリ装置。
【発明の詳細な説明】
【０００１】
【発明の属する技術分野】
本発明は、ユーザによる日時設定が可能なサマータイム機能を備えたファクシミリ装置に関する。
【０００２】
【従来の技術】
今日、ファクシミリ装置は世界各国で使用され、かつ、その機能も多岐に渡っている。例えば、米国のように国内で時間差がある国や、欧州のようにサマータイムが設定され夏時間と冬時間とがある国等において利用されるファクシミリ装置においては、サマータイム機能を備えたものがある。
【０００３】
かかるサマータイム機能は、予め設定された日時になると、内蔵時計を夏時間や冬時間に自動的に時間調整する機能である。
【０００４】
このようなサマータイム機能を備えたファクシミリ装置として、例えば特開平１０−９８５３８号公報においては、リモートコントロールにより日時変更時期のデータを書換える構成が提案されている。
【０００５】
また、特開平５−２４１６１５号公報においては、機器の運行状態を切替える日時情報を有して、自動的に機器の動作を変える構成が提案されている。
【０００６】
【発明が解決しようとする課題】
しかしながら、このようなサマータイム機能を備えたファクシミリ装置では、サマータイム実施時に自動的に時刻調整を行うが、法律の変更などにより、サマータイム開始日時が変わった場合、正常にサマータイム切替えが行われなくなる問題があった。
【０００７】
また、操作内容等を示す表示部が小さく、限られた情報しか表示できないような場合に、自動サマータイム切替機能が機器に存在していることをユーザに知らしめることが非常に困難である問題があった。
【０００８】
このため当該自動サマータイム切替機能の存在がユーザに認識されていない場合には、自動切換えが行われる前日などに、ユーザが通常の時刻調整の操作で時計調整して自動サマータイム切替機能がその後働くため時刻が狂ってしまう恐れがある。
【０００９】
そこで、本発明は、手動により日時変更時期のデータ書換えを可能にしてより適切なサマータイム移行や終了が行えるようにしたファクシミリ装置を提供することを目的とする。
【００１０】
【課題を解決するための手段】
本願発明は、所定の日時に夏時間や冬時間等に内部時計の時間調整を行うサマータイム機能を備えたファクシミリ装置において、ユーザがサマータイム切替え日時の設定を曜日指定で行うサマータイム日時設定手段と、該サマータイム日時設定手段で設定された切替え日時に基づいてサマータイムの開始日時と終了日時を記憶するサマータイム日時記憶手段と、該サマータイム日時記憶手段に記憶されているサマータイム開始日時、終了日時を基にサマータイムの日時を変更するサマータイム日時変更手段と、ユーザにより前記内部時計の時刻調整が行われる際に、当該時刻調整まえにサマータイムをするか否かの選択を行わせる時刻調整手段とを有することを特徴とする。
【００１４】
【発明の実施の形態】
本発明の実施の形態を図を参照して説明する。
【００１５】
本発明の実施の形態を図を参照して説明する。図１は、本発明にかかるファクシミリ装置の概略構成を示すブロック図でスキャナ部１、プロッタ部２、システム制御部３、ＲＯＭ４、ＲＡＭ５、符号化復号化部６、操作表示部７、網制御部８、サマータイム日時記憶手段９、サマータイム日時変更手段１０、時刻調整手段１１、サマータイム管理日時選択手段１２、サマータイム設定選択手段１３等を有して、これらが内部バス１４により接続されている。
【００１６】
スキャナ部１は、原稿を所定の速度で搬送しながら３．８５本／ｍｍ、７．７本／ｍｍ、１５．４本／ｍｍ等の所定の読取線密度で原稿画像を読取って画情報を得るためのものである。
【００１７】
プロッタ部２は、受信した画情報をその線密度に応じて記録出力したり、スキャナ部１で読取った画情報等の種々の情報をその線密度に応じて記録出力（コピー動作）するためのものである。
【００１８】
システム制御部３は、図示しない内部時計を備えて、ＲＯＭ４に書込まれている制御プログラムに従いＲＡＭ５を作業領域として装置全体の制御を行う。
【００１９】
ＲＯＭ４は、システム制御部３が各種制御を行うための制御プログラムを格納し、ＲＡＭ５は、システム制御部３の作業領域として使用されると共に、スキャナ部１で読取った画情報をメモリ送信するために一時的にファイルとして蓄積したり、受信した画情報をプロッタ部２により記録するまでファイルとして一時的に蓄積したりするための一時的な記憶領域として使用されるものである。
【００２０】
符号化復号化部６は、送信画像データをＧ３ファクシミリに適合するＭＨ符号化方式、ＭＲ符号化方式、ＭＭＲ符号化方式等の所定の符号化方式で符号化圧縮し、また受信画像データをＭＨ符号化方式、ＭＲ符号化方式、ＭＭＲ符号化方式等の対応する所定の復号化方式で復号伸長するものである。
【００２１】
操作表示部７は、宛先電話番号を指定するためのテンキー、スタートキー、ワンタッチダイヤルキー、及びその他各種キーが配設され、また液晶表示装置等の表示器を備えて装置の動作状態や各種メッセージをユーザに知らせるようになっている。
【００２２】
網制御部８は、公衆網に接続されて回線の極性反転の検出、回線の直流ループの閉結・解放、回線解放の検出、発信音の検出、ビジートーン等のトーン信号の検出、呼出信号の検出等の回線との接続制御及び宛先番号に対応する選択信号の２０ＰＰＳ又は１０ＰＰＳのダイヤル回線に対応したダイヤルパルス信号による送出を行う。
【００２３】
サマータイム日時記憶手段９は、サマータイムの開始日時と終了日時を記憶するものであり、サマータイム日時変更手段１０は、このサマータイム日時記憶手段９に記憶されているサマータイム開始日時、終了日時を基にサマータイムの日時を変更する。
【００２４】
時刻調整手段１１は、サマータイムに関する設定を行い、サマータイム管理日時選択手段１２はサマータイムの開始日時、終了日時を日時指定で記憶するか、曜日指定で記憶するかを選択できるようにしている。
【００２５】
サマータイム設定選択手段１３は、時刻調整手段１１の中で、サマータイム設定を行うか行わないかを選択する。
【００２６】
このような構成で、機器の時刻調整を行おうとしたときの操作手順を図２に示すフローチャートに従い説明する。
【００２７】
はじめに、サマータイムの設定をするかどうかをユーザが選択する（ステップＳ１）。この選択や入力操作は操作表示部７において行う。
【００２８】
このとき、「設定しない」が選択された場合には、ステップＳ７に進み時刻調整が行なわれる。
【００２９】
これにより、既にサマータイムの設定が行なわれている場合に、単に時刻調整をしたいときだけ操作すれば良くなり、不要な操作を減らして時刻調整を行えるようになる。
【００３０】
また、サマータイム切替えの機能が機器にあることを知らないユーザは、時刻調整をしようとしてこの操作をした場合に、ステップＳ１で操作表示部７に表示されるメッセージによりサマータイムの設定が行えることに気付き、重複した時刻調整が防止できて利便性や信頼性が向上する。
【００３１】
ステップＳ１でサマータイムの設定をするようにユーザが選択した場合には、ステップＳ２でその設定を自動で行うかどうかが選択される。
【００３２】
これは、法改正によりサマータイムがなくなった場合等において、本機能を無効にする際に必要になる。
【００３３】
ここで、「使用しない」を選択した場合は、ステップＳ５に進み、次に時刻調整を行うかどうかをユーザに選択させる。
【００３４】
一方、ステップＳ２で、自動サマータイム切替えを使用するほうをユーザが選択した場合は、ステップＳ３でサマータイム切替えの日時を設定する場合、日時指定で指定するか曜日指定で指定するかを選択させる。
【００３５】
これは各国のサマータイムの法律がどのように変わった場合でも対応することができるようにするためである。
【００３６】
そして、日時指定を選択した場合は、ステップＳ４に進みサマータイムの開始日時と終了日時を日時指定し、曜日指定した場合は、ステップＳ６に進み曜日指定する。
【００３７】
このようにしてサマータイムの指定が終了すると、ステップＳ５で引続き、現在時刻の調整を行うかどうかをユーザに選択させ、時刻調整しない場合には処理が終了し、調整を行う場合にはステップＳ７で時刻調整を行って処理が終了する。
【００３８】
【発明の効果】
以上に説明したように本願発明によれば、手動により日時変更時期のデータ書換えが可能になり、例えば法律の改正等があった場合でも、適切なサマータイム移行や終了が行えるようになる。また、サマータイム切替えを時刻の調整を手動で行うことで対処しようとしたユーザがいても、時刻調整をする前に必ずサマータイムの設定を行わせるようにしたので、サマータイムの設定状態を知ることができ、無用な時刻調整を行う手間を省くことができると共に、重複した時間調整が防止できるようになり利便性が向上する。また、曜日指定でサマータイムの切替を行えるように構成したので、例えば、欧州のように月の最終曜日でサマータイムの切替えを行う場合に便利なファクシミリ装置が得られる。
【図面の簡単な説明】
【図１】本発明の実施の形態の説明に適用されるブロック図である。
【図２】処理手順を示すフローチャートである。
【符号の説明】
３  システム制御部
４  ＲＯＭ
５  ＲＡＭ
７  操作表示部
９  サマータイム日時記憶手段
１０  サマータイム日時変更手段
１１  時刻調整手段
１２  サマータイム管理日時選択手段
１３  サマータイム設定選択手段
【図１】
0003839250.tif 000002
【図２】
0003839250.tif 000003